(57)【要約】【課題】従来のリモコン機能付き携帯電話機器では、赤外線通信素子が、上部筐体の端部または上部筐体の外側に設けられており、上部筐体と下部筐体とを開いた状態でしかリモコン機能が使用できず、操作が煩雑になる問題があった。【解決手段】本発明の携帯電話機器では、上部筐体と下部筐体との開閉に用いる接続部またはその近傍に光通信部を設け、上部筐体背面の表示部と第２操作部を用いることで、上部筐体と下部筐体を閉じたままで、リモコン操作を可能にするものである。閉じた状態でも開いた状態でも携帯電話機を持ち替えることなくリモコン操作が可能になり、携帯電話の多機能化において操作性をより向上させることができる。【選択図】    図１
2005079607.tif 000002
【特許請求の範囲】
【請求項１】
上部筐体と下部筐体とが接続部を介して開閉自在に接続された携帯電話機器において、
第１の操作部と、前記第１の操作部よりも少ないキーによって構成される第２の操作部と、前記第１および第２の操作部からの信号に基づいて光信号を送信する光通信部と、操作ガイドの表示を行う表示部とを備え、
前記第１の操作部は、前記上部筐体と前記下部筐体を閉じた状態で隠蔽される位置に配置し、
前記第２の操作部は、前記上部筐体と前記下部筐体を閉じた状態で露出する位置に配置し、
前記光通信部は、前記上部筐体と前記下部筐体を開いたとき及び閉じたときの何れの状態でも露出する前記接続部側の位置に配置し、
前記表示部は、前記上部筐体と前記下部筐体を開いた状態で前記第１の操作部と並行し、前記上部筐体と前記下部筐体を閉じた状態で前記第２の操作部と並行する位置に配置することを特徴とする携帯電話機器。
【請求項２】
前記接続部は、前記上部筐体と前記下部筐体を折り畳み可能に支持するヒンジ部からなり、
前記ヒンジ部に前記光通信部を配置することを特徴とする請求項１に記載の携帯電話機器。
【請求項３】
前記接続部は、前記上部筐体と前記下部筐体を折り畳み可能に支持するヒンジ部からなり、
前記上部筐体または前記下部筐体のヒンジ部側端部に、前記光通信部を配置することを特徴とする請求項１に記載の携帯電話機器。
【請求項４】
前記接続部は、前記上部筐体と前記下部筐体を回転可能に支持する回動部からなり、
前記下部筐体の回動部側端部に、前記光通信部を配置することを特徴とする請求項１に記載の携帯電話機器。
【請求項５】
前記表示部は、前記上部筐体と前記下部筐体を閉じた状態で隠蔽される位置に配置された第１の表示部と、前記上部筐体と前記下部筐体を閉じた状態で露出する位置に配置された第２の表示部とからなり、
前記上部筐体の表面に、前記第２の操作部と前記第２の表示部とを配置すると共に、前記光通信部と前記第２の操作部との間に、前記第２の表示部を配置することを特徴とする請求項２または請求項３のいずれかに記載の携帯電話機器。
【請求項６】
上部筐体と下部筐体とがスライドにより開閉自在に接続された携帯電話機器において、
第１の操作部と、前記第１の操作部よりも少ないキーによって構成される第２の操作部と、前記第１および第２の操作部からの信号に基づいて光信号を送信する光通信部と、操作ガイドの表示を行う表示部とを備え、
前記第１の操作部は、前記上部筐体と前記下部筐体を閉じた状態で隠蔽される位置に配置し、
前記第２の操作部は、前記上部筐体と前記下部筐体を閉じた状態で露出する位置に配置し、
前記光通信部は、前記上部筐体と前記下部筐体を開いたとき及び閉じたときの何れの状態でも露出する前記上部筐体に対する前記下部筐体の閉成方向端部側に配置し、
前記表示部は、前記上部筐体と前記下部筐体を開いた状態で前記第１の操作部と並行し、前記上部筐体と前記下部筐体を閉じた状態で前記第２の操作部と並行する位置に配置することを特徴とする携帯電話機器。
【請求項７】
前記第２の操作部は、少なくとも中央キーと左右キーとからなり、前記中央キーを押下することで、前記表示部にメニューを表示し、前記左右キーでリモコンのメニューを選択した後、リモコン対象機器のリストを表示し、前記左右キーで所望の対象機器を選択し、前記中央キーで決定することを特徴とする請求項１または請求項６のいずれかに記載の携帯電話機器。
【請求項８】
前記リモコンのメニューにおいて、ＴＶを制御するときは前記中央キーを電源キー、音量、チャネルに割り付け、前記左右キーを音量の大小あるいはチャネルの上下に割り付けることを特徴とする請求項７に記載の携帯電話機器。
【請求項９】
前記リモコンのメニューにおいて、エアコンを制御するときは前記中央キーを電源キー、温度、モードに割り付け、前記左右キーを温度の高低あるいはモードの選択に割り付けることを特徴とする請求項７に記載の携帯電話機器。
【請求項１０】
前記リモコンのメニューにおいて、ＶＴＲあるいはＤＶＤを制御するときは前記中央キーを電源キー、再生、巻き戻し／早送りに割り付け、前記左右キーを再生のＯＮ／ＯＦＦあるいは巻き戻し／早送りの巻き戻し早送りに割り付けることを特徴とする請求項７に記載の携帯電話機器。
【請求項１１】
上部筐体と下部筐体とが接続部で開閉自在に接続された折り畳み構造を有し、前記上部筐体の内側に第１の表示部を設け、前記下部筐体の内側には第１の操作部を設け、前記上部筐体の外側には第２の表示部と、前記第１の操作部より少ないキーにより構成される第２の操作部を設けた携帯電話機器において、
前記接続部、あるいは該接続部近傍の前記上部筐体または下部筐体に光通信部を設け、前記第２の表示部には操作ガイドを表示し、前記第２の操作部を操作して前記上部筐体と下部筐体を閉じた状態で前記光通信部からリモコン用の信号を発信することを特徴とする携帯電話機器。
【発明の詳細な説明】
【０００１】
【発明の属する技術分野】
本発明は、携帯電話機器に関し、特に、折り畳み構造の携帯電話機器で上下筐体を閉じたままでリモコン機能を使える携帯電話機器に関する。
【０００２】
【従来の技術】
近年、携帯電話機器では多くの機能を搭載した機種が市場に導入されている。リモコン機能付き携帯電話機器もその１例である。家庭にあるカラーテレビジョン、ＶＴＲ、ＤＶＤあるいはエアコンも多くはそれぞれの専用のリモコンで操作され、リモコンの多端末現象を起こしている。これを１つのリモコン機能付き携帯電話機器に集約することで上述したリモコンの多端末現象を解消され、極めて便利になる。
【０００３】
かかるリモコン機能付き携帯電話機器について図２９を参照して説明する。
【０００４】
リモコン機能付き携帯電話機器２００は、上部筐体２０５と下部筐体２０６とがヒンジ部２１３によって開閉自在に接続された折り畳み構造を備えている。上部筐体２０５の表面側に表示部２０８が配置され、上部筐体２０５端部に赤外線通信用発光／受光部２１４が配置される。下部筐体２０６には、操作部２０４が設けられている。また、上部筐体２０５と下部筐体２０６を開いた状態でキーを押下してリモコン操作を行うために、上部筐体２０５の背面側に赤外線通信用発光／受光部２１４を設けたものもある（たとえば特許文献１参照）。
【０００５】
【特許文献１】
特開２００１−３２０４５８号公報（第８−９頁、第４−６図）
【０００６】
【発明が解決しようとする課題】
従来のリモコン機能付き携帯電話機器では、上述したように、操作部のキー操作によりリモコン機能を動作させている。リモコン操作にはキー操作が必須であり、従来の折り畳み式の携帯電話機ではにおいては、その都度上部筐体と下部筐体を開かなければならず、操作が煩雑となる問題があった。また、上部筐体と下部筐体とを開いた状態で赤外線通信を行うため、赤外線通信素子は上部筐体の、ヒンジ部とは逆側の先端または上部筐体の背面側に配置していた。
【０００７】
近年ではカメラ機能を搭載した携帯電話も普及し、上部筐体の背面に設けたいわゆる第２液晶画面を大型化したり、接続部の工夫により閉じた状態でも開いた状態と同一の表示部を使用して、閉じたままカメラ撮影が可能な機種も開発されている。すなわち携帯電話が多機能化するなかで、その機能に応じて筐体を開閉せずに操作できるような市場要求もでてきている。
【０００８】
【課題を解決するための手段】
本発明は、上述した各事情に鑑みて成されたものであり、第１に、上部筐体と下部筐体とが接続部を介して開閉自在に接続された携帯電話機器において、第１の操作部と、前記第１の操作部よりも少ないキーによって構成される第２の操作部と、前記第１および第２の操作部からの信号に基づいて光信号を送信する光通信部と、操作ガイドの表示を行う表示部とを備え、前記第１の操作部は、前記上部筐体と前記下部筐体を閉じた状態で隠蔽される位置に配置し、前記第２の操作部は、前記上部筐体と前記下部筐体を閉じた状態で露出する位置に配置し、前記光通信部は、前記上部筐体と前記下部筐体を開いたとき及び閉じたときの何れの状態でも露出する前記接続部側の位置に配置し、前記表示部は、前記上部筐体と前記下部筐体を開いた状態で前記第１の操作部と並行し、前記上部筐体と前記下部筐体を閉じた状態で前記第２の操作部と並行する位置に配置することにより解決するものである。
【０００９】
また、前記接続部は、前記上部筐体と前記下部筐体を折り畳み可能に支持するヒンジ部からなり、前記ヒンジ部に前記光通信部を配置することを特徴とするものである。
【００１０】
また、前記接続部は、前記上部筐体と前記下部筐体を折り畳み可能に支持するヒンジ部からなり、前記上部筐体または前記下部筐体のヒンジ部側端部に、前記光通信部を配置することを特徴とするものである。
【００１１】
また、前記接続部は、前記上部筐体と前記下部筐体を回転可能に支持する回動部からなり、前記下部筐体の回動部側端部に、前記光通信部を配置することを特徴とするものである。
【００１２】
また、前記表示部は、前記上部筐体と前記下部筐体を閉じた状態で隠蔽される位置に配置された第１の表示部と、前記上部筐体と前記下部筐体を閉じた状態で露出する位置に配置された第２の表示部とからなり、前記上部筐体の表面に、前記第２の操作部と前記第２の表示部とを配置すると共に、前記光通信部と前記第２の操作部との間に、前記第２の表示部を配置することを特徴とするものである。
【００１３】
第２に、上部筐体と下部筐体とがスライドにより開閉自在に接続された携帯電話機器において、第１の操作部と、前記第１の操作部よりも少ないキーによって構成される第２の操作部と、前記第１および第２の操作部からの信号に基づいて光信号を送信する光通信部と、操作ガイドの表示を行う表示部とを備え、前記第１の操作部は、前記上部筐体と前記下部筐体を閉じた状態で隠蔽される位置に配置し、前記第２の操作部は、前記上部筐体と前記下部筐体を閉じた状態で露出する位置に配置し、前記光通信部は、前記上部筐体と前記下部筐体を開いたとき及び閉じたときの何れの状態でも露出する前記上部筐体に対する前記下部筐体の閉成方向端部側に配置し、前記表示部は、前記上部筐体と前記下部筐体を開いた状態で前記第１の操作部と並行し、前記上部筐体と前記下部筐体を閉じた状態で前記第２の操作部と並行する位置に配置することにより解決するものである。
【００１４】
また、前記第２の操作部は、少なくとも中央キーと左右キーとからなり、前記中央キーを押下することで、前記表示部にメニューを表示し、前記左右キーでリモコンのメニューを選択した後、リモコン対象機器のリストを表示し、前記左右キーで所望の対象機器を選択し、前記中央キーで決定することを特徴とするものである。
【００１５】
また、前記リモコンのメニューにおいて、ＴＶを制御するときは前記中央キーを電源キー、音量、チャネルに割り付け、前記左右キーを音量の大小あるいはチャネルの上下に割り付けることを特徴とするものである。
【００１６】
また、前記リモコンのメニューにおいて、エアコンを制御するときは前記中央キーを電源キー、温度、モードに割り付け、前記左右キーを温度の高低あるいはモードの選択に割り付けることを特徴とするものである。
【００１７】
また、前記リモコンのメニューにおいて、ＶＴＲあるいはＤＶＤを制御するときは前記中央キーを電源キー、再生、巻き戻し／早送りに割り付け、前記左右キーを再生のＯＮ／ＯＦＦあるいは巻き戻し／早送りの巻き戻し早送りに割り付けることを特徴とするものである。
【００１８】
第３に、上部筐体と下部筐体とが接続部で開閉自在に接続された折り畳み構造を有し、前記上部筐体の内側に第１の表示部を設け、前記下部筐体の内側には第１の操作部を設け、前記上部筐体の外側には第２の表示部と、前記第１の操作部より少ないキーにより構成される第２の操作部を設けた携帯電話機器において、前記接続部、あるいは該接続部近傍の前記上部筐体または下部筐体に光通信部を設け、前記第２の表示部には操作ガイドを表示し、前記第２の操作部を操作して前記上部筐体と下部筐体を閉じた状態で前記光通信部からリモコン用の信号を発信することにより解決するものである。
【００１９】
【発明の実施の形態】
以下に、本発明における実施の形態について、図１〜図２８を参照にして詳細に説明する。
【００２０】
先ず、図１から図３を参照して本発明の第１の実施形態である携帯電話機１を説明する。第１の実施形態は、接続部により上部筐体および下部筐体の折り畳みが可能な携帯電話機であり、図１は、携帯電話機１の開いた状態の概観図である。図１（Ａ）は内側、図１（Ｂ）は外側を示す。
【００２１】
図１に示す如く、携帯電話機１は上部筐体５および下部筐体６がヒンジ部１３を介して開閉自在に接続され、例えば、スピーカ２は携帯電話機１の上部筐体５内側の上方中央に、マイク３は下部筐体６内側の下方中央にそれぞれ配置されている。また、表示部８は第１表示部８ａおよび第２表示部８ｂからなる。
【００２２】
第１操作部４は、上部筐体５と下部筐体６を閉じた状態で隠蔽される位置に配置され、電源投入するための電源キー、メールモードを起動させるメールキー、数字・文字キー等から構成されている。また、カメラ機能付きの携帯電話機１であれば、カメラ機能を起動させるカメラキー等も含む。なお、本実施形態ではカメラ機能付きの携帯電話機を例に説明するが、カメラ機能およびこれに付随するキー、後述する撮像部やこれに付随する部品、およびそれらの制御手段については、無くてもよい。
【００２３】
第１表示部８ａは、スピーカ２が配置されている上部筐体５内側に四角形状で配置されておいる。第１表示部８ａは、上部筐体５と下部筐体６を開いた状態では、第１操作部４と並行し、操作ガイドやメニューを表示する。また、開いた状態で撮影する場合は、第１表示部８ａで被写体を確認しながら、撮影することができる。この第１表示部８ａは、液晶ディスプレイおよびＥＬ（Ｅｌｅｃｔｒｏ  Ｌｕｍｉｎｅｓｃｅｎｓｅ）ディスプレイなどで実現され、表示ドライバ部を介して送られてくる画像データ（文字データも含む）を表示する。
【００２４】
第１表示部８ａには操作ガイドおよびメニューを表示して、第１操作部４により所定の操作を行う。例えばリモコン操作を行う場合には、第１表示部８ａに、リモコン機能のメニューを表示させ、第１操作部４からの信号に基づいて光通信部１４からリモコン用の信号を送信する。
【００２５】
図２は、閉じた状態での上部筐体５および下部筐体６を外側（背面）から見た概観図であり、図２（Ａ）は上部筐体側、図２（Ｂ）は下部筐体側である。また、図３は携帯電話機の側面図であり、図３（Ａ）は閉じた状態、図３（Ｂ）は開いた状態を示す。
【００２６】
図の如く上部筐体５と下部筐体６は、ヒンジ部１３により折り畳み可能に支持される。
【００２７】
第２表示部８ｂは、たとえば四角い形状で上部筐体５と下部筐体６を閉じた状態で露出する位置、すなわち上部筐体５外側で、光通信部１４と第２操作部１０との間に配置される（図１（Ｂ）、図２（Ａ）参照）。第２表示部８ｂは、液晶ディスプレイおよびＥＬ（Ｅｌｅｃｔｒｏ  Ｌｕｍｉｎｅｓｃｅｎｓｅ）ディスプレイなどで実現され、表示ドライバ部を介して送られてくる画像データ（文字データも含む）に基づく画像を表示する。第２表示部８ｂは大型化がすすみ、表示可能な情報量も多くなっている。
【００２８】
第２表示部８ｂには操作ガイドおよびメニューを表示して、第２操作部１０により所定の操作を行う。第２表示部８ｂにリモコン機能のメニューを表示させ、表示されたメニューと対応づけられた第２操作部１０からの信号を元に光通信部１４からリモコン用の信号を発信し、上部筐体５と下部筐体６とを閉じた状態でリモコン操作を可能にする。
【００２９】
例えば、カメラ機能付きの場合は、第２表示部８ｂを閉じたまま被写体を確認して撮影する場合に使用することもできるし、開いた状態で第１表示部８ａと共に使用してもよい。
【００３０】
第２操作部１０は、上部筐体５および下部筐体６が閉じた状態で露出し、第２表示部８ｂと並行して上部筐体５の外側に配置される。また、第１操作部４よりも少ないキーにより構成され、例えば、中央キーＣＫ、左キーＬＫ、右キーＲＫの少なくとも３つのキーを有する。これらの第２操作部１０は、カメラ機能、リモコン機能など、使用する機能に応じて該当する操作が割り付けられる。
【００３１】
リモコン機能においては、第２表示部８ｂにリモコンメニューを表示してリモコン対象機器のリストを表示し、所望の対象機器を選択する。表示された画像（メニュー、機能、ガイド）に対してそれぞれのキーを割り付けてリモコン操作を行う。たとえばテレビを制御するリモコンとして使用するのであれば、中央キーＣＫは選択の決定、左キーＬＫおよび右キーＲＫは、音量調節やチャンネルの選択等である。なお、リモコン機能の画面とキーの割付については後に詳述する。
【００３２】
また、カメラ機能付きの携帯電話機１であれば、第２操作部１０のいずれかが閉じた状態でシャッタキーとして使用され、第２表示部８ｂにより使用者が自らを撮影することができる。
【００３３】
図２（Ｂ）の如く、下部筐体６外側のヒンジ部１３近くの中央付近には撮像部１２が配置され、閉じた状態でも第２表示部８ｂで被写体を確認しながら撮影ができる。また、撮像部１２付近には、撮像部１２に付随した部品であって、撮像時、着信またはメール受信報知時等に発光するピクチャーライト１５や、動画撮影時に利用される集音マイク１６、スピーカー１７等が配置される。
【００３４】
光通信部１４は、ヒンジ部１３に設けられ、第１操作部４および第２操作部１０からの信号に基づいて赤外線等の光信号を送信する。この場合、光通信部１４は、上部筐体５および下部筐体６を開いたときおよび閉じたときの何れの状態でも露出するように設ける。また上部筐体５との接合部とも下部筐体６の接合部ともなるべく離間して設けると好適である。
【００３５】
一般的に、リモコン操作を行うには、多数のキーが必要である。しかし、本発明の携帯電話機１では第２表示部８ｂにもメニューや操作ガイドを表示し、表示画面に応じて第２操作部１０を割り付ける。そしてこれらの第２操作部１０を操作して、リモコン用の信号を発信できる。これにより使用頻度の高いリモコンの基本的操作については、上部筐体５と下部筐体６とを閉じたままで実現できる。
【００３６】
また、光通信部１４が常に露出し、光信号の出力方向が一定になる位置に設けることにより、筐体の開閉によらず、また携帯電話機器１を持ち替えることなく対応機種の赤外線通信素子と携帯電話機１の光通信部とを対向させることができる。開いた状態であれば、第１操作部４を使用できるので、多数のキーにリモコン操作を割り付けることができ、閉じた状態よりも詳細なリモコン操作や詳細な設定が可能となる。
【００３７】
図４〜図６には、携帯電話機１の第２の実施形態を示す。光通信部１４の配置が第１の実施形態と異なるだけであり、それ以外は同様であるので説明は省略する。図４のごとく、開いた状態ではヒンジ部１３が隠れてしまう構造の場合には、光通信部１４は、上部筐体５および下部筐体６を開いたときおよび閉じたときの何れの状態でも露出するように、下部筐体６のヒンジ部１３側端部に設けてもよい。さらに、図示は省略するが、光通信部１４は上部筐体５のヒンジ部１３側端部に設けてもよい。
【００３８】
第３から第５の実施形態の携帯電話機は、開いた状態及び閉じた状態で同一の表示部８を使用できるように上部筐体および下部筐体の開閉を工夫した構造である。
【００３９】
まず、図７から図９を参照して本発明の第３の実施形態である携帯電話機１を説明する。第３の実施形態は、上部筐体および下部筐体を回転させることにより開閉自在な携帯電話機であり、図７は携帯電話機１の開いた状態での内側（第１操作部面）から見た概観図である。
【００４０】
尚、第１の実施形態と同一構成要素は同一符号とし、同一構成要素についての重複部分については説明を省略する。
【００４１】
図７に示す如く、携帯電話機１は上部筐体５および下部筐体６が接続部２３を介して回転可能に接続される。第３の実施形態では、開いた状態および閉じた状態で同一の表示部８を利用する。
【００４２】
第１操作部４は、上部筐体５と下部筐体６を閉じた状態で隠蔽される位置に配置され、表示部８は、上部筐体５と下部筐体６を開いた状態では、第１操作部４と並行する。表示部８は操作ガイドおよびメニューを表示して、第１操作部４および第２操作部１０により所定の操作を行う。表示部８には、リモコン機能のメニューも表示され、開いた状態では第１操作部４を操作してリモコン操作を行う。
【００４３】
第２操作部１０は、表示部８と並行し、同一面上に設けられる。また、上部筐体５および下部筐体６が閉じた状態でも露出する。第２操作部１０は第１操作部４よりも少ないキーにより構成され、例えば中央キーＣＫ、左キーＬＫ、右キーＲＫの少なくとも３つのキーを有する。
【００４４】
回動部２３は、図７の破線部分に設けられ、上部筐体５と下部筐体６とを表示部８を図の矢印のように水平方向に回転して開閉（折り畳み）可能に支持する接続部である。下部筐体６の回動部２３側端部には、光通信部１４が設けられる。
【００４５】
図８は、閉じた状態での上部筐体５および下部筐体６を外側（背面）から見た概観図であり、図８（Ａ）は上部筐体側であり、図８（Ｂ）は下部筐体側である。また、図９は、携帯電話機の側面図であり、図９（Ａ）は閉じた状態、図９（Ｂ）は開いた状態を示す。
【００４６】
第３の実施形態では、表示部８は、上部筐体５と下部筐体６を閉じた状態でも露出する位置に配置され、表示部８は前述の如く第２操作部１０と並行する。
【００４７】
光通信部１４は、第１操作部４および第２操作部１０からの信号に基づいて赤外線等の光信号を送信する。光通信部１４は上部筐体および下部筐体を開いたときおよび閉じたときの何れの状態でも露出するように、下部筐体６の回動部２３側端部に設けられる。
【００４８】
閉じた状態でリモコン操作する場合には、第２操作部１０の中央キーＣＫを押下することで、表示部８にリモコンメニューを表示し、表示された画像（メニュー、機能、ガイド）に対して第２操作部１０を操作してリモコン操作を行う。
【００４９】
尚、第３の実施形態では回動部２３を中心として上下筐体を１８０度回転して開閉するので、閉じた状態では表示部８の上下が逆になる。しかし、操作ガイドは、閉じた状態では回動部２３側が上端になるように表示され、光通信部１４は下部筐体６の回動部２３側端部に設けられるので、閉じた状態でも、携帯電話機１を持ち替えることなく、リモコン操作が可能となる。
【００５０】
図１０から図１２を参照して本発明の第４の実施形態である携帯電話機１を説明する。第４の実施形態は、上部筐体および下部筐体を長手方向にスライドさせることにより開閉する携帯電話機であり、図１０は携帯電話機１の開いた状態の概観図である。図１０（Ａ）は内側であり図１０（Ｂ）は外側である。
【００５１】
尚、第１の実施形態と同一構成要素は同一符号とし、同一構成要素についての重複部分については説明を省略する。
【００５２】
図１０に示す如く、携帯電話機１は上部筐体５および下部筐体６がスライドにより開閉自在に接続される。第３の実施形態も、開いた状態および閉じた状態で同一の表示部８を利用する。
【００５３】
第１操作部４は、上部筐体５と下部筐体６を閉じた状態で隠蔽される位置に配置され、表示部８は、上部筐体５と下部筐体６を開いた状態では、第１操作部４と並行する。
【００５４】
第２操作部１０は、表示部８と同一面上に設けられ、閉じた状態で露出する。第２操作部１０は第１操作部４よりも少ないキーにより構成され、例えば図の如く、押下する位置により、中央キーＣＫ、左キーＬＫ、右キーＲＫの少なくとも３つのキーが割り当てられた十字キーを有する。
【００５５】
開いた状態でリモコン操作を行う場合は、表示部８にリモコン機能のメニューを表示し、第１操作部４を操作してリモコン操作を行う。
【００５６】
上部筐体５および下部筐体６の開閉（折り畳み）は、携帯電話機１の長手方向（図の矢印方向）に上部筐体５（または下部筐体６）をスライドさせて行う。
【００５７】
図１１は、閉じた状態での上部筐体５および下部筐体６を外側（背面）から見た概観図であり、図１１（Ａ）は上部筐体側であり、図１１（Ｂ）は下部筐体側である。また、図１２は携帯電話機の側面図であり、図１２（Ａ）は閉じた状態、図１２（Ｂ）は開いた状態を示す。
【００５８】
表示部８は、上部筐体５と下部筐体６を閉じた状態でも露出する位置に配置され、表示部８は閉じた状態では第２操作部１０と並行する。
【００５９】
閉じた状態でリモコン操作を行う場合は、第２操作部１０を操作して表示部８にリモコンメニューを表示し、表示された画像（メニュー、機能、ガイド）に対して第２操作部１０で操作する。
【００６０】
光通信部１４は、第１操作部４および第２操作部からの信号に基づいて光信号を送信する。本実施形態では光通信部１４は、上部筐体５に対する下部筐体６の閉成方向の下部筐体６端部に配置される。ここで、上部筐体５に対する下部筐体６の閉成方向とは、上部筐体５を固定して下部筐体６をスライドさせて閉じるときのスライドの方向をいう。例えば図１２の場合、閉成方向は紙面左側（下部筐体６の上端方向）である。
【００６１】
第４の実施形態では光通信部１４は、図１１および図１２の如く、下部筐体６の閉成方向端部、すなわち下部筐体６の上端に配置する。
【００６２】
光通信部１４を下部筐体６の閉成方向端部に設けることにより、開いた状態でも閉じた状態でも光信号の方向が一定となり、どちらの状態でも携帯電話機１を持ち替えることなくリモコン操作が可能となる。
【００６３】
第５の実施形態は、第３の実施形態と同様にスライドにより開閉する構造であり、図１３は開いた状態、図１４には閉じた状態、図１５は側面図を示す。図１５において、前述の如く閉成方向は紙面左側（上部筐体５の下端方向）である。本実施形態では、光通信部１４を、上部筐体５の閉成方向筐体６端部、すなわち図１３、図１４および図１５の如く、上部筐体５の上端に配置する。
【００６４】
光通信部１４を上部筐体５の閉成方向端部に設けることにより、開いた状態でも閉じた状態でも光信号の方向が一定となり、どちらの状態でも携帯電話機１を持ち替えることなくリモコン操作が可能となる。
【００６５】
図１６は同携帯電話機１の電気的構成を簡単に説明する概略機能ブロック図である。尚、以降の説明は、上記の第１から第５の実施形態の携帯電話機１において同様である。
【００６６】
本実施例の携帯電話機１は、アンテナ２２を介して基地局との間で予め決められた変調方式により音声やデータを送受信する送受信部２４と、マイク３からの音声信号をデジタルデータ（音声データ）に変換すると共に、音声データを音声信号に変換してスピーカ２に供給する音声処理部２８と、送受信部２４からの受信信号を復号化し、音声データであれば音声処理部２８、その他のデータであれば後述する制御回路３６に供給すると共に、音声処理部２８からの音声データや制御回路３６からのデータを符号化して送受信部２４に供給するデータ変換部２６と、第１操作部４、第２操作部１０の操作を検出するキー操作検出部２７と、表示部８での表示を制御する表示制御部３２と、ユーザにより設定された各種設定内容等を記憶するためのデータ記憶部３４と、ＣＰＵ，ＲＯＭ，ＲＡＭを中心に構成された周知のマイクロコンピュータからなり、第１操作部４、第２操作部１０を介して入力される各種指令、及びデータ記憶部３４に記憶された設定内容に従って、各部を制御する制御回路３６と、光通信部１４で送受信する信号を変換する信号変換部３５とを備えている。
【００６７】
また、画像処理部３１は、制御部３６の指示に基づき、データ記憶部３４に保存された画像データや、撮像部１２で撮影された画像データを所定の方式で圧縮・伸張処理をする。そして、画像処理部３１は、画像データを表示部８へと送る。
【００６８】
なお、本実施形態のキー操作検出部２７は、第１操作部４のキーまたは第２操作部１０のいずれかが所定の長さで押下され続けるいわゆる長押し状態の間、一定時間（たとえば２０ｍｓ）周期で繰り返し制御回路３６へ信号を出力するように構成されている。第２操作部１０は、長押しすることによりそのキーに対応させて登録したメニューを呼び出すことができ、データ記憶部３４には、第２操作部１０と登録機能との対応関係を表す対応表データが少なくとも確保されている。
【００６９】
図１７は、図１６の携帯電話機の構成において、リモコン機能を使用する場合の、赤外線の動作を記載した内部構成ブロック図である。なおこの構成は赤外線内部構成の一例である。
【００７０】
図１７に示すように赤外線動作の内部構成は、プログラム制御により動作する情報処理部３７を含む制御回路３６と、無線通信を行うための無線通信機能を備えた送受信部２４、第１操作部４、第２操作部１０と、表示部８と、赤外線通信の発光、受光を行う光通信部１４と、信号変換手段３５とから構成されている。
【００７１】
たとえば、光通信部１４は、赤外線ＬＥＤ４１と、フォトダイオード４２とから構成されており、赤外線通信時には、赤外線ＬＥＤ４１を発光させることにより相手通信先に対して赤外線信号である送信信号を送信し、また、相手通信先から送信されてきた赤外線信号である受信信号をフォトダイオード４２によって電気信号に変換する。
【００７２】
また、信号変換手段３５は、情報処理部３７から出力された送信信号を増幅するためのドライバ４６と、フォトダイオード４２にて電気信号に変換された相手通信先からの受信信号を増幅するためのアンプ４５と、アンプ４５にて増幅された信号をＨＩ或いはＬＯＷの２値信号に変換するコンパレータ４４と、コンパレータ４４にて２値信号に変換された信号を情報処理部３７の入力レベルに増幅するためのドライバ４３とから構成されている。
【００７３】
次に、図１８を参照して本実施形態の開いた状態でのリモコン操作のフローの一例を示す。図１８（Ａ）は表示部８（第１、第２の実施形態では第１表示部８ａ）の表示画面の一例であり、図１８（Ｂ）はリモコン機能を実行する際のブロック図である。
【００７４】
開いた状態でリモコン機能を操作する場合は、たとえば図１８（Ａ）の如きリモコン画面を表示部８（第１、第２の実施形態では第１表示部８ａ）に表示する。この画面は、第１操作部４の配列に対応させたキーの画像を表示し、各キーの画像にはリモコン機能で割り付ける操作やラベルを表示する。また、必要であればガイド行に、操作ガイドを表示する。ユーザは画面のキーの画像を参照して第１操作部４のキーを押下することで、所定のリモコン操作を行う。
【００７５】
たとえば図１８（Ｂ）の如く、メニューキー（ＭＥＭＵ）に対応する第１操作部４のキーを押下すると、画面モード選択、リモコン設定などのトップメニューが表示される。画面モード選択では、キャラクター、ＴＶ番組表示、リモコン画面など、表示部８（第１、第２の実施形態では第１表示部８ａ）に表示させる画面が選択できる。リモコン設定を選択すると、コード変更、選局ボタン設定、ＴＶ追加、ＴＶ削除等の詳細な設定が行える。
【００７６】
また、選択キー（ＳＥＬＥＣＴ）に対応する第１操作部のキーを押下すると、設定しているリモコンデータ（対象機種、対応機器）の切り替えが行える。前述の如く、開いた状態では、第１操作部４の多数のキーを操作に割り付けられるため、リモコン機能の詳細な設定や操作が可能となる。
【００７７】
次に、図１９から図２４を参照して、閉じた状態でリモコン機能を使用する場合のキー操作ブロック図および画面遷移の第１の実施例を説明する。
【００７８】
まず、ＴＶメニューについて説明する。図１９は、キー操作のブロック図であり、図２０は表示部８（第１、第２の実施形態では第２表示部８ｂ、以下同様）の画面遷移図の一例である。
【００７９】
表示部８が待受状態で、第２操作部１０の中央キーＣＫを押下すると、メインメニューを表示する（ステップＳ１）。このときの第２表示部の画面は図２０（Ａ）の如く、閉じたまま第２操作部により操作が可能な機能のメニューが表示される。リモコン操作を行うアプリケーションプログラム（以下リモコンアプリと称する）は、他のメール等を行う複数の内蔵アプリケーションプログラムと共に、アプリケーションメニューとして表示される。また表示領域の下方には、第２操作部１０に対応したキーのパターン１０１が表示される。
【００８０】
メインメニューから、第２操作部１０の左キーＬＫまたは右キーＲＫでアプリケーションメニューを選択後、中央キーＣＫで決定する（ステップＳ２）。このとき、表示部８には、リモコンアプリや、その他の内蔵アプリケーションのうち、閉じたまま操作が可能なアプリケーションメニューの一覧が表示される（図２０（Ｂ））。
【００８１】
アプリケーションメニューのうち、リモコンアプリを左キーＬＫ、または右キーＲＫで選択後、中央キーＣＫで決定する（ステップＳ３）。このとき、表示部８には、図２０（Ｃ）で示すリモコン操作の対象機器の選択またはリモコンアプリの終了を選択できるリモコンアプリメニューが表示される。リモコン操作の対象機機は、テレビ、エアコン、ＶＲＴまたはＤＶＤ等が登録されており、これらを切り替えることができる。対象機器の切り替えについては後述する。表示部下方には、第２操作部に対応したパターン１０１が表示されるので、これによりＴＶを選択し、中央キーＣＫで決定する（ステップＳ４）。
【００８２】
リモコンアプリメニューでＴＶを選択すると、表示部８には、リモコン制御可能なテレビの一覧が表示される。テレビは例えば部屋毎等、複数種類（ＴＶ１〜ＴＶ３）を登録できる（図２０（Ｅ））。
【００８３】
操作対象のテレビ（例えばＴＶ１）を左右キーで選択後、中央キーＣＫで決定する（ステップＳ５）。このとき、表示部８は図２０（Ｆ）の如く、リモコン画面（音量変更）が表示される。リモコン操作開始直後は、使用頻度が高い音量変更モードをデフォルトとするとよい。
【００８４】
この場合の画面は、例えば第２操作部１０の機能を示すキーガイド部１０２と、第２操作部を長押しした場合の長押しガイド部１０３と、リモコン操作時の注意事項等を表示するコメント部１０４等から構成される。なお、画面のパターンは図示したものに限らない。
【００８５】
ここで、長押しとは、所定のキーを所定の時間押し続けることをいう。また長押しの判断は、第２操作部が押下され続けている間、キー操作検出部（図６：符号２７参照）からは例えば２０ｍｓｅｃ毎に信号が出力されるので、この信号の発生数を制御回路によってカウントすることにより行えばよい。
【００８６】
キーガイド部１０２は、第２操作部１０に対応させた機能を視覚的に認識し易いように、第２操作部１０と同じ配列で、機能をラベルして表示する。音量変更モードでは、左キーＬＫをボリュームダウン、右キーをボリュームアップに割つけ、中央キーＣＫはテレビの電源のＯＮ／ＯＦＦに割り付けて操作を行う（ステップＳ６）。
【００８７】
長押しガイド部１０３は、表示部８の表示領域下方等に表示する。表示中の画面（図２０（Ｆ））において左キーＬＫを長押しすると、音量変更モードと、チャンネル変更モードを切り替えるモード切替ができる（ステップＳ７：図２０（Ｇ））。
【００８８】
また、図２０（Ｆ）において右キーＲＫを長押しすると、操作するリモコンデータを（ＴＶ１〜ＴＶ３）を切り替えられる（ステップＳ８：図２０（Ｅ））。モード切替およびリモコン切替については後述する。
【００８９】
さらに図２０（Ｆ）において、中央キーＣＫを長押しすると、リモコンアプリメニューが表示され、リモコンアプリの終了またはリモコン操作の対象機器を、テレビから例えばエアコン、ＶＲＴまたはＤＶＤ等に切り替えることができる（ステップＳ９）。このとき表示部には図２０（Ｃ）のメニュー画面が表示される。第２操作部に対応したパターン１０１も表示されるので、左右キーにより選択し中央キーＣＫで決定する（ステップＳ４）。リモコンアプリ終了を選択すれば、リモコンアプリが終了し（ステップＳ１１）、図２０（Ｄ）に示す待ち受け画面に戻る。
【００９０】
また、リモコン操作の対象機器としてエアコンを選択すると、エアコンを制御するリモコンのメニューが表示されるが、これについては後述する。
【００９１】
次に、モード切替について説明する。図２０（Ｆ）のリモコン画面で左キーＬＫを長押しする（ステップＳ７）と、音量変更モードからチャンネル変更モードに切り替えられる。チャンネル変更モードの表示部８には、図２０（Ｇ）の如くチャネル変更用のリモコン画面が表示される。
【００９２】
画面には、第２操作部１０に対応させた機能を視覚的に認識し易いように、キーガイド部１０２を設け、第２操作部１０と同じ配列で、機能をラベルして表示する。チャンネル変更モードでは、左キーＬＫがチャンネル戻し、右キーがチャンネル送りであり、中央キーＣＫはテレビの電源のＯＮ／ＯＦＦを行う（ステップＳ１０）。
【００９３】
また、表示部８の表示領域下方には、長押しガイド部１０４を表示する。左キーＬＫを長押しすると、同様にチャンネル変更モードから音量変更モードに切り替えられる（ステップＳ７）。
【００９４】
また、右キーＲＫを長押しすると、操作するリモコンデータを（ＴＶ１〜ＴＶ３）を切り替えられる（ステップＳ８）。さらに、中央キーＣＫを長押しすると、リモコンアプリメニューが表示され、リモコンアプリの終了またはリモコン操作の対象機器を切り替えることができる（ステップＳ９）。
【００９５】
さらに、リモコンデータ切替について説明する。図２０（Ｆ）（Ｇ）のリモコン画面で右キーＲＫを長押しすると、操作するリモコンデータを切り替えられる（ステップＳ８）。リモコン切替モードの表示部８には、図２０（Ｅ）の如く、対象となるリモコンデータ（例えばＴＶ１〜ＴＶ３）が表示され、表示部８の表示領域下方には、第２操作部に対応したパターン１０１が表示される。
【００９６】
対象となるリモコンデータを左右キーにより選択し、中央キーＣＫで決定すると（ステップＳ５）、操作するリモコンが例えばＴＶ２用に切り替わり、図２０（Ｆ）に示すＴＶ２に対する音量変更モードのリモコン画面が表示される。このようにリモコンを切り替えた後は音量変更モードがデフォルトとなる。
【００９７】
さらに、図２１のブロック図と図２２の画面遷移図を参照して、エアコンに対するリモコン操作について説明する。図２２（Ａ）は図２０（Ｃ）と同じ画面で、リモコンアプリメニューの画面である。このとき表示部８下方には、第２操作部に対応したパターン１０１が表示される。左右キーにより「リモコンアプリ終了」を選択し中央キーＣＫを押下する（ステップＳ２１）とリモコンアプリが終了し、図２２（Ｂ）（図２０（Ｄ）と同様）に示す待ち受け画面に戻る（ステップＳ２２）。
【００９８】
また、左右キーにより、「エアコン」を選択し、中央キーＣＫにより決定する（ステップＳ２３）と、操作するリモコンデータのメニュー画面が表示される。リモコン切替モードの表示部８には、図２２（Ｃ）の如く、対象となるリモコンデータ（例えばエアコン１〜エアコン３）が表示され、表示部８の表示領域下方には、第２操作部に対応したパターン１０１が表示される。対象となるリモコンデータを左右キーにより選択し、中央キーＣＫで決定すると（ステップＳ２４）、図２２（Ｄ）の如くエアコンのリモコン操作画面が表示される。
【００９９】
画面は、第２操作部１０の機能を示すキーガイド部１０２と、第２操作部を長押しした場合の長押しガイド部１０３と、リモコン操作時の注意事項等を表示するコメント部１０４等から構成される。第２操作部に対応させた機能を視覚的に認識し易いように、第２操作部と同じ配列で、機能をラベルして表示する。エアコンを制御する場合には、例えば使用頻度の高い温度変更モードをデフォルト画面とし、左キーＬＫを温度ダウン、右キーを温度アップに割付け、中央キーＣＫはエアコンの電源のＯＮ／ＯＦＦに割付けて操作を行う（ステップＳ２５）。
【０１００】
表示部８の表示領域下方には、この状態における第２操作部の長押しガイド１０３を表示する。図２２（Ｄ）において左キーＬＫを長押しすると（ステップＳ２６）、温度変更モードと、エアコンの冷房、暖房等の運転モードを切り替えるモード切替ができる。運転切替モードでは、図２２（Ｅ）の如き画面を表示する。例えば左キーＬＫを押下すると暖房運転となり、右キーＲＫを押下すると冷房運転となる。また、中央キーで電源のＯＮ／ＯＦＦを行う（ステップＳ２９）。図２２（Ｅ）の長押しについては図２２（Ｄ）と同様である。
【０１０１】
また、図２２（Ｄ）において右キーＲＫを長押しすると、操作するリモコンデータを（エアコン１〜エアコン３）を切り替えられる（ステップＳ２７）。このとき、表示部８は、図２２（Ｃ）の画面が表示され、左右キーで対象リモコンを選択し、中央キーで決定する。
【０１０２】
さらに、図２２（Ｄ）において中央キーＣＫを長押しすると、リモコンアプリメニューが表示される（ステップＳ２８）。このとき、表示部８は、図２２（Ａ）のリモコンアプリのメニューが表示される。また、表示部８下方には、第２操作部に対応したパターン１０１が表示される。メニューを左右キーで選択、中央キーで決定し、リモコン操作の対象機器の切替またリモコンアプリを終了する。
【０１０３】
さらに、図２３のブロック図と図２４の画面遷移図を参照して、ＶＴＲまたはＤＶＤに対するリモコン操作について説明する。表示部８には、図２４（Ａ）（図２０（Ａ）と同様）で示すリモコンアプリメニューが表示される。また、第２表示領８域下方には、第２操作部に対応したパターン１０１が表示される。「リモコンアプリ終了」を選択、決定すると（ステップＳ４１）、リモコンアプリが終了し（ステップＳ４２）図示は省略するが待受け画面が表示される。
【０１０４】
また、操作するＶＴＲ（またはＤＶＤ）を選択し、中央キーＣＫにより決定すると（ステップＳ４３）、操作するリモコンデータのメニュー画面が表示される。このときの表示部には、図２４（Ｂ）の如く、対象となるリモコンデータ（例えばＶＴＲ、ＤＶＤ）が表示され、表示部８の表示領域下方には、第２操作部に対応したパターン１０１が表示される。対象となるリモコンデータを左右キーにより選択し、中央キーＣＫで決定すると（ステップＳ４４）、図２４（Ｃ）の如くＶＴＲ等のリモコン操作画面が表示される。
【０１０５】
画面は、第２操作部１０の機能を示すキーガイド部１０２と、第２操作部を長押しした場合の長押しガイド部１０３と、リモコン操作時の注意事項等を表示するコメント部１０４等から構成される。キーガイド部１０２には、第２操作部に対応させた機能を視覚的に認識し易いように、第２操作部と同じ配列で、機能をラベルして表示する。ＶＴＲを制御する場合には、例えば再生モードの選択画面をデフォルトとし、例えば中央キーＣＫを再生のＯＮ／ＯＦＦに割り付け、左キーＬＫを巻き戻しに、右キーＲＫを早送りに割り付けて操作を行う（ステップＳ４５）。中央キーＣＫの押下でＶＴＲが再生および停止され、再生中に左キーを押下すると巻き戻し、右キーを押下すると早送りになる。
【０１０６】
表示部８の表示領域下方には、長押しガイド部を表示し、この状態における第２操作部の長押しの際の操作ガイドを表示する。図２４（Ｃ）において中央キーＣＫを長押しすると図２４（Ａ）で示したリモコンアプリメニューが表示される（ステップＳ４７）。
【０１０７】
また、図２４（Ｃ）において右キーＲＫを長押しすると、操作するリモコンデータを（ＶＴＲ、ＤＶＤ）を切り替えられる（ステップＳ４６）。
【０１０８】
さらに、図２５から図２８を参照して、閉じた状態でリモコン機能を使用する場合の画面遷移の第２の実施例を説明する。
【０１０９】
図２５はＴＶメニューである。この場合、リモコン機能の初期メニューは、機器選択画面（図２５（Ａ））である。機器選択画面には、予め、設定した所定の機器が表示される。
【０１１０】
機器選択画面において、左右キーでカーソルを「１  ＴＶ」に移動し、中央キーＣＫ（ＯＫキー）を押下して決定する。これにより、ＴＶメニュー画面（図２５（Ｂ））が表示される。ＴＶメニューの機能としては図の如く例えば電源、音量、チャネルの変更ができる。メニューは中央キーＣＫ（ＭＥＮＵキー）を押下することでカーソルがループ移動するのでこれにより選択する。
【０１１１】
ＴＶメニュー画面下方には、メニュー選択時の左右キーの割付を表示してある。例えば、「１  ＰＯＷＥＲ」にカーソルを移動（選択）し、左キーＬＫを押下すると、電源のＯＮ／ＯＦＦが行え、右キーＲＫを押下すると入出力切替（ビデオ１、ビデオ２等）が行える。
【０１１２】
「２  ＶＯＬＵＭＥ」を選択した場合、左キーＬＫ押下で音量が下がり、右キーＲＫ押下で音量が上がる。
【０１１３】
同様に、「３  ＣＨＡＮＮＥＬ」を選択した場合、左キーＬＫ及び右キーでチャンネルが変更できる。
【０１１４】
「４  ＳＹＳＴＥＭ」を選択し（図２５（Ｂ））、左キーＬＫ押下すると非活性化となり、右キーＲＫ押下で機器選択画面（図２５（Ａ））に戻る。
【０１１５】
次に、図２６にＶＴＲメニューを示す。機器選択画面（図２６（Ａ））において、左右キーでカーソルを「２  ＶＴＲ」に移動し、中央キーＣＫを押下して決定する。これにより、ＶＴＲメニュー画面（図２６（Ｂ））が表示される。ＶＴＲメニューの機能としては図の如く例えば再生、サーチ（巻き戻し、早送り）、音量の変更ができる。また、ＶＴＲメニューではＴＶへの切替も可能である。ＶＴＲメニューは中央キーＣＫを押下することでカーソルがループ移動するのでこれにより選択する。
【０１１６】
ＶＴＲメニュー画面下方には、メニュー選択時の左右キーの割付を表示してある。例えば、「１  ＶＴＲ」にカーソルを移動（選択）して左キーＬＫを押下すると、電源のＯＮ／ＯＦＦが行え、右キーＲＫを押下すると入出力切替が行える。
【０１１７】
「２  ＰＬＡＹ」を選択した場合、ＶＴＲの再生ができる。左キーＬＫ押下で再生停止、右キーＲＫで再生開始となる。
【０１１８】
「３  ＳＥＡＲＣＨ」を選択した場合（図２６（Ｂ））、巻き戻し及び早送りができる。左キーＬＫで巻き戻し、右キーＲＫで早送りである。この場合の画面遷移を図２６（Ｃ）〜図２６（Ｅ）に示す。左右キーで光信号を送信後（図２６（Ｃ）または図２６（Ｄ））、自動的にカーソルが再生系のコマンドである「２ＰＬＡＹ」に自動的に移動し（図２６（Ｅ））、再生が可能となる。
【０１１９】
「４  ＴＶ」を選択すると、ＴＶに切替可能である。左キーＬＫで電源のＯＮ／ＯＦＦが行え、右キーＲＫを押下すると入出力切替が行える。
【０１２０】
「５  ＶＯＬＵＭＥ」を選択した場合、左キーＬＫ押下で音量が下がり、右キーＲＫ押下で音量が上がる。
【０１２１】
「６  ＳＹＳＴＥＭ」を選択し（図２６（Ｆ））、左キーＬＫ押下すると非活性化となり、右キーＲＫ押下で機器選択画面（図２６（Ａ））に戻る。
【０１２２】
図２７には、ＤＶＤメニューについて説明する。機器選択画面（図２７（Ａ））において、左右キーでカーソルを「３  ＤＶＤ１」に移動し、中央キーＣＫを押下して決定する。これにより、ＤＶＤメニュー画面（図２７（Ｂ））が表示される。ＤＶＤメニューとしては図の如く例えば再生、サーチ（巻き戻し、早送り）、音量の変更ができる。また、ＤＶＤメニューではＴＶへの切替も可能である。ＤＶＤメニューは中央キーＣＫを押下することでカーソルがループ移動するのでこれにより選択する。
【０１２３】
ＤＶＤメニュー画面下方には、メニュー選択時の左右キーの割付を表示してある。例えば、「１  ＤＶＤ」にカーソルを移動（選択）して左キーＬＫを押下すると、電源のＯＮ／ＯＦＦが行え、右キーＲＫを押下すると入出力切替が行える。
【０１２４】
「２  ＰＬＡＹ」を選択した場合、ＤＶＤの再生ができる。左キーＬＫ押下で再生停止、右キーＲＫで再生開始となる。メニュー３〜６については、ＶＴＲメニューと同様であるので、説明は省略する。
【０１２５】
尚、ＤＶＤメニューではＤＶＤ１〜ＤＶＤ３が表示されている。これは、予めリモコン操作可能な対象機器として登録されるものである。画面遷移は同様である。
【０１２６】
図２８には、エアコンメニューについて説明する。機器選択画面（図２８（Ａ））において、左右キーでカーソルを「６  Ａ／Ｃ」に移動し、中央キーＣＫを押下して決定する。これにより、エアコンメニュー画面（図２８（Ｂ））が表示される。エアコンメニューとしては図の如くエアコン電源のオンオフができる。また、カーソルで「温度」を選択し、左右キーで設定温度の調節ができるようにしてもよい。
【０１２７】
また、ＴＶへの切替も可能である。エアコンメニューは中央キーＣＫを押下することでカーソルがループ移動するのでこれにより選択する。
【０１２８】
エアコンメニュー画面（図２８（Ｂ））下方には、メニュー選択時の左右キーの割付を表示してある。例えば、「１  Ａ／Ｃ」にカーソルを移動（選択）して左キーＬＫを押下すると、エアコン電源が入り、右キーＲＫで電源が切れる。
【０１２９】
「２  ＴＶ」を選択すると、ＴＶに切替可能である。左キーＬＫで電源のＯＮ／ＯＦＦが行え、右キーＲＫを押下すると入出力切替が行える。
【０１３０】
「３  ＶＯＬＵＭＥ」を選択した場合、左キーＬＫ押下でＴＶの音量が下がり、右キーＲＫ押下で音量が上がる。
【０１３１】
「４  ＳＹＳＴＥＭ」を選択し、左キーＬＫ押下すると非活性化となり、右キーＲＫ押下で機器選択画面（図２８（Ａ））に戻る。
【０１３２】
以上、閉じた状態でリモコン機能を使用する、第１および第２の実施例を画面遷移図を用いて説明したが、これらは開いた状態でも同様に操作できる。
【０１３３】
【発明の効果】
上述したように、本発明の携帯電話機器では、第１に、上部筐体と下部筐体との開閉を行う接続部に光通信素子を設け、上部筐体の外側に表示部と第２操作部を設けることにより、上部筐体および下部筐体を閉じたままで光通信を行うことができる。携帯電話が多機能化するなかで、リモコン機能などの筐体を開閉する必要性が少ない機能については閉じたまま操作可能にすることで、操作性が向上する。
【０１３４】
第２に、光通信部を筐体を閉じた状態でも開いた状態でも常に露出する位置に設けることにより、筐体の開閉によらず光信号の出力向きが一方向となるため、閉じた状態と開いた状態で携帯電話機を持ち替えることなく、リモコン操作が可能となる。
【０１３５】
第３に、リモコン機能のアプリケーションプログラムと、表示部の表示画面とを工夫して機能を割り付けることにより、第２操作部の少ないキーでありながら、リモコンの基本的な操作をカバーできる。
【０１３６】
第４に、ＴＶを制御するときは中央キーを電源キー、音量、チャネルに割り付け、左右キーを音量の大小あるいはチャネルの上下に割り付けることにより、ＴＶを制御するリモコンの基本的な操作を実現できる。
【０１３７】
第５に、エアコンを制御するときは中央キーを電源キー、温度、モードに割り付け、左右キーを温度の高低あるいはモードの選択に割り付けることにより、エアコンを制御するリモコンの基本的な操作を実現できる。
【０１３８】
第６に、ＶＴＲあるいはＤＶＤを制御するときは中央キーを電源キー、再生、巻き戻し／早送りに割り付け、左右キーを再生のＯＮ／ＯＦＦあるいは巻き戻し／早送りの巻き戻し早送りに割り付けることにより、ＶＴＲあるいはＤＶＤを制御するリモコンの基本的な操作を実現できる。
【図面の簡単な説明】
【図１】本発明の携帯電話機器の開いた状態の概観図である。
【図２】同携帯電話機器の閉じた状態での（Ａ）上部筐体側、（Ｂ）下部筐体側からみた概念図である。
【図３】同携帯電話機器の（Ａ）閉じた状態での側面概念図、（Ｂ）開いた状態の側面概念図である。
【図４】本発明の携帯電話機器の開いた状態の概観図である。
【図５】同携帯電話機器の閉じた状態での（Ａ）上部筐体側、（Ｂ）下部筐体側からみた概念図である。
【図６】同携帯電話機器の（Ａ）閉じた状態での側面概念図、（Ｂ）開いた状態の側面概念図である。
【図７】本発明の携帯電話機器の開いた状態の概観図である。
【図８】同携帯電話機器の閉じた状態での（Ａ）上部筐体側、（Ｂ）下部筐体側からみた概念図である。
【図９】同携帯電話機器の（Ａ）閉じた状態での側面概念図、（Ｂ）開いた状態の側面概念図である。
【図１０】本発明の携帯電話機器の開いた状態の概観図である。
【図１１】同携帯電話機器の閉じた状態での（Ａ）上部筐体側、（Ｂ）下部筐体側からみた概念図である。
【図１２】同携帯電話機器の（Ａ）閉じた状態での側面概念図、（Ｂ）開いた状態の側面概念図である。
【図１３】本発明の携帯電話機器の開いた状態の概観図である。
【図１４】同携帯電話機器の閉じた状態での（Ａ）上部筐体側、（Ｂ）下部筐体側からみた概念図である。
【図１５】同携帯電話機器の（Ａ）閉じた状態での側面概念図、（Ｂ）開いた状態の側面概念図である。
【図１６】本発明の携帯電話機器の電気的構成を示すブロック図である。
【図１７】本発明の携帯電話機器の赤外線通信の概要を示すブロック図である。
【図１８】本発明の携帯電話機器の開いた状態でリモコン機能の操作を行う場合の（Ａ）表示部の概要図、（Ｂ）機能フロー図である。
【図１９】本発明の携帯電話機器のリモコン機能でＴＶを制御する場合のブロック図である。
【図２０】本発明の携帯電話機器のリモコン機能でＴＶを制御する場合の表示部の画面遷移図である。
【図２１】本発明の携帯電話機器のリモコン機能でエアコンを制御する場合のブロック図である。
【図２２】本発明の携帯電話機器のリモコン機能でエアコンを制御する場合の表示部の画面遷移図である。
【図２３】本発明の携帯電話機器のリモコン機能でＶＴＲまたはＤＶＤを制御する場合のブロック図である。
【図２４】本発明の携帯電話機器のリモコン機能でＶＴＲまたはＤＶＤを制御する場合の表示部の画面遷移図である。
【図２５】本発明の携帯電話機器のリモコン機能でＴＶを制御する場合の表示部の画面遷移図である。
【図２６】本発明の携帯電話機器のリモコン機能でＶＴＲを制御する場合の表示部の画面遷移図である。
【図２７】本発明の携帯電話機器のリモコン機能でＤＶＤを制御する場合の表示部の画面遷移図である。
【図２８】本発明の携帯電話機器のリモコン機能でエアコンを制御する場合の表示部の画面遷移図である。
【図２９】従来のリモコン機能付き携帯電話機器を説明する概念図である。
【符号の説明】
１          携帯電話機
２          スピーカー
３          マイク
４          第１操作部
５          上部筐体
６          下部筐体
８ｂ        第１表示部
８ａ        第２表示部
８          表示部
１０          第２操作部
１２          撮像部
１３          ヒンジ部
１４          光通信部
１５          ピクチャーライト
１６          集音マイク
１７          スピーカー
２２          アンテナ
２３          回動部
２４          送受信部
２６          データ変換部
２７          キー操作検出部
２８          音声処理部
３１          画像処理部
３２          表示制御部
３４          データ記憶部
３５          信号変換部
３６          制御回路
３７          情報処理部
４１          ＬＥＤ
４２          フォトダイオード
４３          ドライバ
４４          コンパレータ
４５          アンプ
４６          ドライバ
【図１】
2005079607.tif 000003
【図２】
2005079607.tif 000004
【図３】
2005079607.tif 000005
【図４】
2005079607.tif 000006
【図５】
2005079607.tif 000007
【図６】
2005079607.tif 000008
【図７】
2005079607.tif 000009
【図８】
2005079607.tif 000010
【図９】
2005079607.tif 000011
【図１０】
2005079607.tif 000012
【図１１】
2005079607.tif 000013
【図１２】
2005079607.tif 000014
【図１３】
2005079607.tif 000015
【図１４】
2005079607.tif 000016
【図１５】
2005079607.tif 000017
【図１６】
2005079607.tif 000018
【図１７】
2005079607.tif 000019
【図１８】
2005079607.tif 000020
【図１９】
2005079607.tif 000021
【図２０】
2005079607.tif 000022
【図２１】
2005079607.tif 000023
【図２２】
2005079607.tif 000024
【図２３】
2005079607.tif 000025
【図２４】
2005079607.tif 000026
【図２５】
2005079607.tif 000027
【図２６】
2005079607.tif 000028
【図２７】
2005079607.tif 000029
【図２８】
2005079607.tif 000030
【図２９】
2005079607.tif 000031